(57)【特許請求の範囲】
【請求項１】
ブラケットとファンケースを有するモーターと、前記モーターのブラケット周面に設けた排気部及びファンケースに設けた孔と、前記モーターを制御する制御回路と、制御回路部品を搭載したプリント基板とを備え、前記プリント基板は大きな制御回路部品が前記ブラケットに面するように前記ブラケットの側部に配し、前記大きな制御回路部品を前記モーターの中心より離れた一方に配置するとともに比較的形状の小さい部品を前記モーターの中心に近いところに配置し、かつ、更に前記プリント基板と前記モーターのブラケット周面に設けた排気部との間に遮蔽部を設け、前記遮蔽部は前記ファンケースの孔からの冷却用排気の一部がプリント基板へ導入されるように設けるとともに前記ブラケット周面に設けた排気部からの排気がプリント基板上の制御回路部品に当たらないように設けた電気機器。
【請求項２】
冷却用排気の排気通路上に発熱量の多い制御回路部品を配置した請求項１記載の電気機器。
【発明の詳細な説明】
【０００１】
【発明の属する技術分野】
本発明は、一般家庭で使用される電気機器、例えば電気掃除機に関するもので、本体に制御回路を搭載したプリント基板を取り付ける電気機器に関すものである。
【０００２】
【従来の技術】
従来の電気掃除機の制御回路の取り付け方法を図６を用いて説明する。図において、１は電気掃除機の本体に内蔵されているモーターで、このモーター１で回転させられる送風機により吸引力を発生させ、塵埃を電気掃除機の本体に設けた集塵室内に溜めるようにする。２はモーター１等を制御する制御回路の部品（以下、制御回路部品と称す）３が搭載されているプリント基板で、図のように制御回路部品３がプリント基板２の上面にくるように設置している。
【０００３】
【発明が解決しようとする課題】
ところがこのような従来の電気掃除機の取り付け方法では、プリント基板２上の制御回路部品３の形状が大きいものがあると、その制御回路部品３が上方に突出し、また、モーター１の外郭とプリント基板２の半田面の絶縁距離ａを確保しなければならないため、電気掃除機の本体の縦（高さ）方向の大きさを小さくできず、使い勝手が悪いという問題点を有していた。
【０００４】
本発明は、これらの課題を解消し使用性の高い小型な電気機器を提供することを目的としている。
【０００５】
【課題を解決するための手段】
上記目的を達成するために本発明は、ブラケットとファンケースを有するモーターと、前記モーターのブラケット周面に設けた排気部及びファンケースに設けた孔と、前記モーターを制御する制御回路と、制御回路部品を搭載したプリント基板とを備え、前記プリント基板は大きな制御回路部品が前記ブラケットに面するように前記ブラケットの側部に配し、前記大きな制御回路部品を前記モーターの中心より離れた一方に配置するとともに比較的形状の小さい部品を前記モーターの中心に近いところに配置し、かつ、更に前記プリント基板と前記モーターのブラケット周面に設けた排気部との間に遮蔽部を設け、前記遮蔽部は前記ファンケースの孔からの冷却用排気の一部がプリント基板へ導入されるように設けるとともに前記ブラケット周面に設けた排気部からの排気がプリント基板上の制御回路部品に当たらないように設けたもので、電気機器の本体の大きさを小型化し、使用性をよくするものである。
【０００６】
【発明の実施の形態】
本発明の請求項１記載の発明は、ブラケットとファンケースを有するモーターと、前記モーターのブラケット周面に設けた排気部及びファンケースに設けた孔と、前記モーターを制御する制御回路と、制御回路部品を搭載したプリント基板とを備え、前記プリント基板は大きな制御回路部品が前記ブラケットに面するように前記ブラケットの側部に配し、前記大きな制御回路部品を前記モーターの中心より離れた一方に配置するとともに比較的形状の小さい部品を前記モーターの中心に近いところに配置し、かつ、更に前記プリント基板と前記モーターのブラケット周面に設けた排気部との間に遮蔽部を設け、前記遮蔽部は前記ファンケースの孔からの冷却用排気の一部がプリント基板へ導入されるように設けるとともに前記ブラケット周面に設けた排気部からの排気がプリント基板上の制御回路部品に当たらないように設けたもので、このように、プリント基板の取り付け方向をモーターのブラケット側にプリント基板上の形状の大きい部品が配置されるようにすることで、本体の小型化ができる。また、排気が直接プリント基板に当たらないため、温度上昇を抑えることが出来るとともに冷却用排気の一部をプリント基板へ導入するようにしたので、分流排気をプリント基板上に強制的に導入でき、冷却効果をより高めることが出来る。
【０００７】
本発明の請求項２記載の発明は、冷却用排気の排気通路上に発熱量の多い制御回路部品を配置したもので、この構成によれば小型化ができる。
【０００８】
【実施例】
（実施例１）
以下、本発明の実施例１について、図１を用いて説明する。なお、従来と同一構成部品には同一符号を付しその説明を省略する。図において、１は本体に内蔵されているモーターで、ブラケット８とファンケース５で構成されている。２は制御回路部品３が搭載されているプリント基板で、図のように制御回路部品３がモーター１のブラケット８側にくるように設置している。このとき制御回路部品３の内、形状の大きい第１部品３ａを図のようにモーター１の中心より離れた一方に配置し、形状の大きい第２の部品９を部品３ａとは反対側に配置し、比較的形状の小さい部品３ｂをモーター１の中心に近いところに配置してある。
【０００９】
以上の構成における作用は以下の通りである。上記のように制御回路部品３をブラケット８側に配置することにより、形状の大きい制御回路部品３ａ，３ｂが断面が略円形のモーター１の外郭の側面側に位置することができ、モーター１の外郭とプリント基板２との距離ｂを小さくすることが可能となり、結果的に全体の高さｃを低く押さえることができる。また、従来のように半田面とモーター１の外郭との絶縁距離をとる必要がなく、モーター１の外郭とプリント基板２との距離ｂを小さくすることが可能となり、結果的に全体の高さｃを低く押さえることができる。
【００１０】
また、形状の大きい部品を左右に振り分けして配置することにより幅方向の寸法も小さくすることが出来る。
【００１１】
（実施例２）
次に本発明の実施例２について、図２、図３を用いて説明する。なお構成部品で上記実施例１と同一のものは、同一符号を付与して詳細な説明を省略する。
【００１２】
モーター１からの吸気ｄは、モーター１を構成するローター１０やステーター１１等の発熱部品を通り熱い排気ｅとなってモーター１の後方から出ていく。４は遮蔽物で、プリント基板２の固定と共に、排気ｅがプリント基板２に当たらない役目をしているケースである。図３はモーター１の後方から見た図である。
【００１３】
この構成の作用は以下の通りである。遮蔽物４が無いと熱い排気ｅが直接プリント基板２上の制御回路部品３に当たり、制御回路部品３の耐熱温度を超え、制御回路部品３が不良になるが、遮蔽物４を設けることにより、プリント基板２の雰囲気温度は掃除機本体の内部の雰囲気温度までしか上昇することなく、熱い排気ｅが直接当たらないよう遮断することが出来る。この時、ファンケース５のプリント基板２の取付部近傍に孔６を設けておくと、熱せられていない分流排気ｆにより更にプリント基板２上の部品が冷却されることとなる。
【００１４】
（実施例３）
次に本発明の実施例３について、図４を用いて説明する。なお上記実施例２と同一構成部品には同一符号を付与して、その詳細な説明を省略する。
【００１５】
図４において、ファンケース５に設けた孔６の内部に入り込むように遮蔽物４及びプリント基板２が取り付けて有る。
【００１６】
上記構成による作用は以下の通りである。ファンケース５の図の位置に孔６を設けて、熱せられていない分流排気ｆによりプリント基板２上の制御回路部品３が冷却されるが、上記構成のように遮蔽物４の一部とプリント基板２の一部を孔６の内部に入り込むようにし、分流排気ｆをプリント基板上２の制御回路部品３側に導入することにより、制御回路部品３の冷却効果を更に高めることが出来る。
【００１７】
（実施例４）
次に本発明の実施例４について、図５を用いて説明する。なお上記実施例２と同一構成部品には同一符号を付与して、その詳細な説明を省略する。
【００１８】
図５において、７はプリント基板２上に実装した制御回路部品のうち発熱する発熱部品である。１２はファンケース５内に配され、モーター１により回転区動されるファンである。
【００１９】
以上の構成における作用は以下の通りである。まず吸気ｄがモーター１の内部を通って排気の一部である分流排気ｆがファンケース５に設けた孔６より排出されるが、この分流排気ｆの風向は、モーター１のファン１２が矢印で示す方向に回転することにより、図に示すような方向となる。この時、プリント基板２上の発熱部品７を分流排気ｆの風の流れる通り道上に配置することにより、発熱部品７を最大限冷却することが可能になる。
【００２０】
なお、上記各実施例では電気掃除機を例にとり説明したが、電気掃除機に限定されるものでなく、電気機器一般に採用できるものである。
【００２１】
【発明の効果】
発明によれば、プリント基板の取り付け方向をモーターのブラケット側にプリント基板上の形状の大きい部品が配置されるようにしているので、プリント基板上の大きい部品の突出が緩和され、電気機器の本体を小型化でき使い勝手が良くなる。また、排気が直接プリント基板に当たらないため、温度上昇を抑えることが出来るとともに冷却用排気の一部をプリント基板へ導入するようにしたので、分流排気をプリント基板上に強制的に導入でき、冷却効果をより高めることが出来る。
【００２２】
本発明の請求項２記載の発明によれば、冷却用排気の排気通路上に発熱量の多い制御回路部品を配置したので、プリント基板上の特に発熱の大きい部品を優先的に冷却することができ、実装の効率が良くなる。
【図面の簡単な説明】
【図１】  本発明の実施例１における電気掃除機のモーターを後方から見た図
【図２】  本発明の実施例２における電気掃除機のモーターの一部破断側面図
【図３】  同電気掃除機のモーターを後方から見た図
【図４】  本発明の実施例５における電気掃除機のモーターの側面図
【図５】  本発明の実施例５における電気掃除機のモーターの一部破断平面図
【図６】  従来の電気掃除機のモーターを後方から見た図
【符号の説明】
１  モーター
２  プリント基板
３  制御回路部品
４  遮蔽物（ケース）
６  孔
７  発熱部品
８  ブラケット
【図１】
0003772496.tif 000002
【図２】
0003772496.tif 000003
【図３】
0003772496.tif 000004
【図４】
0003772496.tif 000005
【図５】
0003772496.tif 000006
【図６】
0003772496.tif 000007